(57)【要約】  浮き本体（２）と、浮き本体（２）に着脱可能に連結されたバラスト錘（３）とを備える釣り糸用リグユニット。バラスト錘（３）および浮き本体（２）は、投てき段階中および飛行中は互いに連結されたままであり、飛行経路の最後に水と衝突した際は互いから分離するよう構成される。飛行中、浮き本体（２）およびバラスト錘（３）が互いに接続されている場合、リグユニットは、浮き本体（２）を前側に配置し、バラスト錘を浮き本体の後方に配置して方向付けられる。水と衝突して分離した後、バラスト錘（３）は、海底に置かれた状態となるよう構成される。道糸（４）は、釣竿からバラスト錘（３）の案内通路（Ｏ１）まで下降する第１部分と、案内通路（Ｏ１）から浮き本体（２）まで上昇する第２部分とを有し、このようにして水中に沈んだままであることが可能な浮き本体は、水面からある距離を保って位置し、末端糸（６）は、浮き本体（２）から、釣り針（Ｈ）が結び付けられる補助浮き（Ｅ）まで上方に延びる。
2019517825.tif 000002
【特許請求の範囲】
【請求項１】
釣り糸用のリグユニットであって、
主軸と、飛行中の向きを基準とした場合の前端と、後端とを有する浮き本体と、
前記浮き本体に着脱可能に連結されたバラスト錘と、
を備え、
前記バラスト錘および前記浮き本体は、投てき段階中および飛行中は互いに連結されたままであり、飛行経路の最後に水と衝突した際は互いから分離するよう構成され、
前記バラスト錘が、前記浮き本体の前記後端に着脱可能に連結された前端と、前記浮き本体に接続された道糸のための案内通路が設けられた後端とを有し、
前記リグユニットが、前記浮き本体に接続されるヘッドと、釣り針が結び付けられ得る補助浮きを保持する反対側のヘッドとを有する末端糸を接続するための取り付け要素を備えており、
飛行中は、前記浮き本体および前記バラスト錘が互いに接続されている場合、前記リグユニットは、前記浮き本体を前側に配置し、前記バラスト錘を前記浮き本体の後方に配置して方向付けられるが、前記飛行経路の最後に水と衝突した際に前記浮き本体と前記バラスト錘とが分離した後は、前記バラスト錘は海底に置かれた状態となるよう構成されるので、前記道糸には、釣竿から前記バラスト錘の前記案内通路まで下降する第１部分と、前記バラスト錘の前記案内通路から前記浮き本体まで上昇する第２部分とが設けられ、このようにして水中に沈んだままであることが可能な前記浮き本体は、水面からある距離を保って位置し、前記末端糸は、前記浮き本体から前記補助浮きまで上方に延びるように配置される、
リグユニット。
【請求項２】
前記浮き本体および前記バラスト錘は、磁気結合手段によって互いに着脱可能に連結される、
請求項１に記載のリグユニット。
【請求項３】
前記磁気結合手段は、前記バラスト錘と対応付けられている１または複数の永久磁石と、前記浮き本体と対応付けられている１または複数の強磁性要素とを含む、
請求項２に記載のリグユニット。
【請求項４】
前記１または複数の強磁性要素は、前記浮き本体の前記後端から突出する円錐形の要素として成形され、一方で、前記バラスト錘の前記前端は、前記１または複数の永久磁石が設けられた、強磁性材料の前記円錐形の要素を受け入れるための円錐形のシートを有する、
請求項３に記載のリグユニット。
【請求項５】
前記浮き本体は、回転体として成形され、前記バラスト錘は、半径方向の切れ目を有し、前記切れ目によって、前記浮き本体に接続された前記道糸の邪魔をすることなく、前記バラスト錘が前記浮き本体から切り離されることが可能となる、
請求項１から４の何れか一項に記載のリグユニット。
【請求項６】
前記バラスト錘には、前記バラスト錘の前記後端から延び、前記バラスト錘とは反対側にある最後尾部を有するロッドが設けられ、前記最後尾部は、前記道糸のための前記案内通路を構成するアイレットを保持する、
請求項１から５のいずれか一項に記載のリグユニット。
【請求項７】
前記アイレットは、前記ロッドの前記最後尾部から突出する軸方向のピンによって保持され、前記ロッドの軸の周りを回転自在な態様で前記最後尾部に取り付けられる、
請求項６に記載のリグユニット。
【請求項８】
前記浮き本体は、前記浮き本体の前端において、前記末端糸を接続するための前記取り付け要素を構成するアイレットを保持する、
請求項６または７に記載のリグユニット。
【請求項９】
前記浮き本体は、前記道糸を接続するためのアイレットを保持する、
請求項８に記載のリグユニット。
【請求項１０】
前記末端糸を接続するための前記取り付け要素を構成する前記アイレットは、前記浮き本体の前記前端と対応付けられている浮遊自在なシャンクの端に取り付けられる、
請求項８に記載のリグユニット。
【請求項１１】
前記浮き本体は、飛行中は、前記末端糸に接続された前記釣り針および前記補助浮きが内部において収容されたままであり、水と衝突した際は前記釣り針および前記補助浮きを放つよう構成されるコンパートメントを画定する、
請求項１から１０のいずれか一項に記載のリグユニット。
【請求項１２】
前記浮き本体は、匂う餌を収容するための開閉式のかごの形をしている、
請求項１から１１のいずれか一項に記載のリグユニット。
【請求項１３】
前記浮き本体は、前記道糸を接続するためのアイレットを形成するよう、前記浮き本体の前記後端から突出するループを形成する糸を中で固定可能な軸方向チューブを有する、
請求項１から１２のいずれか一項に記載のリグユニット。
【請求項１４】
前記バラスト錘には、前記バラスト錘の前記後端から延び、前記バラスト錘とは反対側にある最後尾部を有するロッドが設けられ、前記最後尾部は、前記道糸の前記案内通路を構成するアイレットを保持し、前記バラスト錘の前記切れ目と角度方向で一致する切れ目を有する回転体として成形される、
請求項５に記載のリグユニット。
【発明の詳細な説明】
【技術分野】
【０００１】
本発明は、バラスト錘が対応付けられる浮き本体を含む、釣り糸用リグユニットに関する。本発明は、特には、主軸、飛行中の向きを基準にした場合の前端、および後端を有する浮き本体と、浮き本体に着脱可能に連結されたバラスト錘とを備えるタイプのリグユニットであって、バラスト錘および浮き本体は、投てき段階中および飛行中は互いに連結されたままであり、飛行経路の最後に水と衝突した際に、互いから分離するよう構成されている、リグユニットに関する。
【０００２】
［先行技術］
上述したタイプの浮きユニットは、例えば、次の文献、米国特許第６，０９４，８５３号、欧州特許出願第０，０３５，９９６号、米国出願公開特許第２０１１／０４１３８１号、および米国特許第３，２３０，６５９号において説明されている。
【０００３】
［発明の目的］
本発明の目的は、投てきを、たとえそれが大遠投であっても、釣り糸がもつれるリスクを低減し、またはそのリスクをなくしさえもして、簡単に実行できる釣り糸用リグユニットを製造することである。
【０００４】
本発明のさらなる目的は、飛行中にバラスト錘から浮き本体が分離してしまうリスクを最小限に抑え、水と衝突した際にこれらの要素が分離しないリスクを最小限に抑える、上述されたタイプのリグユニットを提案することである。 
【０００５】
本発明のさらなる目的は、特に効率的な釣りの技術を採用することを可能にするリグユニットを提案することである。
【０００６】
本発明のさらなる目的は、単純かつ安価な構造を有するリグユニットを製造することである。本発明のまた別の目的は、極めて簡単に使用できるリグユニットを製造することである。 
【発明の概要】
【０００７】
上記目的を達成することを考えて、本発明は、本説明の初めに示された特徴を有し、さらに、次の点を特徴とするリグユニットに関する。その特徴とは、バラスト錘が、浮き本体の後端に着脱可能に連結された前端と、浮き本体に接続された道糸のための案内通路が設けられた後端とを有し、かつ、リグユニットが、浮き本体に接続されたヘッドと、釣り針が結び付けられ得る補助浮きを保持する反対側のヘッドとを有する末端糸を接続するための取り付け要素を備えており、飛行中は、当該浮き本体および当該バラスト錘が互いに連結されている場合、当該リグユニットは、浮き本体を前側に配置し、バラスト錘を浮き本体の後方に配置して方向付けられるが、飛行経路の最後に水と衝突した際に当該浮き本体および当該バラスト錘が分離した後は、バラスト錘は海底に置かれた状態となるよう構成されるので、道糸には、釣竿からバラスト錘の当該案内通路まで下降する第１部分と、バラスト錘の当該案内通路から当該浮き本体まで上昇する第２部分とが設けられ、このようにして水中に沈んだままであることが可能な当該浮き本体は、水面からある距離を保って位置し、末端糸は、当該浮き本体から当該補助浮きまで上方に延びるように配置されるというものである。
【０００８】
好適な実施形態において、浮き本体およびバラスト錘は、磁気結合手段によって着脱可能に互いに連結されている。例えば、磁気結合手段は、バラスト錘と対応付けられている１または複数の永久磁石と、浮き本体と対応付けられている１または複数の強磁性要素とを含み得る。例えば、強磁性要素は、浮き本体の後端から突出する円錐形の要素として成形され、一方で、バラスト錘の前端は、１または複数の永久磁石（Ｍ）が設けられた、強磁性材料の円錐形の要素を受け入れるための円錐形のシートを有する。
【０００９】
好適な実施形態において、浮き本体は、回転体として成形され、バラスト錘は、半径方向の切れ目を有し、当該切れ目によって、浮き本体に接続された道糸の邪魔をすることなく、バラスト錘が浮き本体から切り離されることが可能となる。
【００１０】
なおも当該好適な実施形態に関連して、バラスト錘には、バラスト錘の後端から延び、バラスト錘とは反対側にある最後尾部を有するロッドが設けられ、当該最後尾部は、道糸のための当該案内通路を構成するアイレットを保持する。 
【００１１】
上述の特徴のおかげで、本発明に係るリグユニットは、釣り糸をもつれさせる恐れなく、大遠投を含む投てきを簡単に実行できるようにする。飛行中、浮き本体は、バラスト錘の前側にある状態が保たれ、バラスト錘によって動的に誘導され、これにより、分離してしまうリスクが最小限に抑えられる。飛行中に前側に配置されることによって、浮き本体は、初めに水との衝突を受け、したがって、浮き本体の後方で押し付ける、より重量の大きいバラスト錘から直ぐに離れやすい。分離した後、バラスト錘は、釣りをするドッグの底部の方向に下降し、したがって、逆に水面の方に引き寄せられる浮き本体から離れる。バラスト錘から浮き本体が遠ざかることは、上記案内通路の中を道糸が滑らかに動くことによって容易になる。バラスト錘が海底に到達したとき、道糸は、釣竿からバラスト錘の案内通路まで下降する部分と、バラスト錘の案内通路から浮き本体まで上昇する部分とを有する。浮き本体は、水面からある距離を保って水中に沈んだままであり、末端糸は、浮き本体から補助浮きまで上方に延びるように配置されている。当該補助浮きは、餌の役目を果たし、補助浮きと結び付けられた釣り針を有する。その結果、本発明に係るリグユニットの浮き本体は、いったんバラスト錘が海底に置かれると、道糸を引き伸ばされた状態に保つ働きを有する。この状態において、釣竿のリールに作用することによって、釣り人は、浮き本体を、したがって釣り針をもいろいろな深さに配置して、釣りに最も適した深さを見付けることができる。このようにして、釣りを極めて効果的なものにすることができる。
【００１２】
上述の構造および配置は、飛行中に釣り糸がもつれるリスクを最小限に抑える。上述のリグユニットは、組み立てが簡単で経済的であり、使用が極めて簡単でもある。 
【００１３】
変形例において、浮き本体は、末端糸に接続された餌のついた釣り針が、飛行中には内部で保護されたままであり、その後水と衝突した際には外に出てくる餌保持用コンパートメントを画定する。さらには、浮き本体が、匂う餌で満たされてよい開閉式のかごの形をしており、餌魚または捕食魚をおびき寄せる匂いを生じさせるのに適しているという変形例もある。
【図面の簡単な説明】
【００１４】
本発明は、これより添付図面を参照して説明される。添付図面は、単に非限定的な例として提供される。
【００１５】
【図１】本発明の好適な実施形態に係るリグユニットの長手方向断面図である。
【図２】非連結状態の、図１のユニットの構成要素の図である。
【図２Ａ】本発明に係るリグユニットの一部を形成するバラスト錘の端面図である。
【図３】本発明に係るリグユニットの飛行段階を概略的に示す。
【図４】本発明に係るリグユニットの水中に沈んだ最終的な状態を概略的に示す。
【図５】本発明に係るリグユニットの変形例を示す。
【図６】別の変形例の断面図を示す。
【図７】別の変形例の斜視図を示す。
【図８】さらなる変形例の断面図を示す。
【図９】さらなる実施形態例の分解斜視図である。
【図１０】さらなる実施形態例の部分断面図である。
【発明を実施するための形態】
【００１６】
図１から図３を参照すると、番号１は、本発明の第１の実施形態に係るリグユニットの全体を示す。ユニット１は、浮き本体２およびバラスト錘３を備え、バラスト錘は、投てき後空中を飛行する間は、浮き本体２に連結されたままである。以下でより詳細に示されるように、浮き本体２に道糸４が接続される。
【００１７】
浮き本体２は、単一部品で製造することができ、または、（さらなる実施形態例に関連して示されるように）複数の要素でも製造することができる。いずれの場合でも、浮き本体２の構造および構成は、任意の公知の手法で製造することができる。また、浮き本体２の材料は、例えば、プラスチック材料、特にはポリウレタンまたはバルサ材等の、当業者にはとっては既知の任意の適した材料であってよい。
【００１８】
浮き本体２は、主軸２Ａ（図２参照）と、２０１で示される（飛行中の向きを基準としたときの）前端と、後端２０２とを有する回転体として成形される。バラスト錘３は、浮き本体の後端に連結された前端を有する。飛行中は、浮き本体が前側に配置され、バラスト錘が浮き本体の後方に配置されるような配置になっている。
【００１９】
本明細書において示される実施形態では、浮き本体２の後端とバラスト錘３の前端とは、投てき段階中および飛行中は、磁気結合手段によって互いに連結されたままである。具体的には、本明細書において示される例において、浮き本体２とバラスト錘３との間の連結手段は、浮き本体２の後端２０２に強固に接続された強磁性要素Ｆと、バラスト錘３に強固に接続された永久磁石Ｍとを含む。図示された例では、強磁性要素Ｆは円錐形態であり、永久磁石Ｍは、強磁性要素Ｆを連結状態で受け入れるキャビティを画定する円錐状の壁の形態である。
【００２０】
図２および図３から分かるように、バラスト錘３の本体全体が半径方向の切れ目Ｔを有しており、当該切れ目によって、浮き本体２に接続された道糸４の邪魔をすることなく、バラスト錘３が浮き本体２から切り離されることが可能になる。示されている実施形態では、バラスト錘と対応付けられている磁石Ｍもまた、切れ目Ｔの位置に対応する位置に半径方向の切れ目を有する。
【００２１】
永久磁石Ｍは、磁気引力が、飛行中連結状態を維持するのに十分大きく、飛行の最後に水と衝突することで確実に切り離しをもたらすのに十分に小さいものであるように選ばれる。この結果は、浮きおよびバラスト錘のサンプルで実験を行うことによって簡単に実現され得る。 
【００２２】
図１から分かるように、浮き本体２においては通路２０３が軸方向に横断しており、当該通路内でチューブ２０４を介在してステムＡが配置される。ステムＡの両端は、プラスチック材料の浮き本体２から外に抜け出ている。チューブ２０４はまた、省略され、および／または（図５の実施形態にあるように）浮き２と同じ本体によって画定され得る。
【００２３】
図１および図２の解決手段において、ステムＡの後端は、アイレットＯ２を保持し、アイレットＯ２は道糸４のヘッドに固定され、道糸４の反対側の端部は釣竿５と対応付けられている（図４参照）。ステムＡの前端は、アイレットＯ３を端とする浮遊シャンクを保持し、アイレットＯ３は、末端糸６のヘッドを固定し、末端糸６はその反対側の端部において、補助浮きを構成する釣り針Ｈおよび餌Ｅを保持する（図２および図４参照）。
【００２４】
バラスト錘３に戻ると、バラスト錘３は、当業者には周知の任意の適した材料を使用して、任意の公知の方式で構成および形成され得る。本明細書において示される実施形態では、バラスト錘３は、くぼんだ前端表面を有する、実質的に円錐の本体を有し、当該表面の面内には永久磁石Ｍが固定されている。バラスト錘３の後端は、ロッド７へと延びており、ロッド７は、恒久的にバラスト錘３の本体に接続される。ロッド７は、例えば金属材料またはプラスチック材料といった材料で作製されてよく、２つの正反対に配置されたウィングを有する最後尾部６０１を有し、当該ウィングは、飛行中に道糸４がロッド７に巻き付くのを防ぐよう設計される。ロッド７の最後尾部６０１は、道糸４の案内通路を保持する。図示された例において、案内通路は、アイレットＯ１の形を成しており、道糸４はアイレットＯ１の中を自由に滑らかに動く（図２参照）。アイレットＯ１は、ロッド７の最後尾部６０１から軸方向に突出したピンによって保持され、最後尾部６０１によって保持された円筒状の本体６０２内において、ロッドの軸の周りを回転自在な態様で取り付けられる。
【００２５】
図１〜図３の実施形態において、アイレットＯ３は、浮き本体２の前端２０１から突出する浮遊自在なシャンクに取り付けられる。
【００２６】
図３は、飛行中および水と衝突した直後の両方の、本発明に係るリグユニットを（明確にするために大きさを誇張して）示す。飛行中、ロッド７を伴い、浮き本体２およびバラスト錘３は、永久磁石Ｍおよび強磁性要素Ｆの間の磁気引力のおかげで互いに連結されたままである。この連結状態において、リグユニットの空気力学的な形態とその重量とによって、釣り糸をもつれさせる恐れなく長距離を飛行することが可能になる。飛行中、浮き本体は、バラスト錘の前側にある状態が保たれ、バラスト錘によって動的に誘導され、これにより、分離してしまうリスクが最小限に抑えられる。飛行中に前側に配置されることによって、浮き本体２は、初めに水との衝突を受け、したがって、浮き本体２の後方で押し付ける、より重量の大きいバラスト錘３から直ぐに離れやすい。分離した後、バラスト錘３は、釣り糸４がアイレットＯ１の中を滑らかに動くことが可能であるおかげで、浮き本体２から離れて下降し、図４に示される状態に至る。
【００２７】
図５は、変形例に係るリグユニットの断面図である。当該変形例は、軸方向チューブ２０４が浮き本体２と一体的に形成されるという点、およびステムＡが設けられないという点で図１の解決手段とは異なる。この場合、浮き本体２の前端２０１に近接する軸方向通路２０４内において、例えば円筒形ブロック２０５の形の支持体が受け入れられる。末端糸６を接続するためのアイレットＯ３は円筒形ブロック２０５内に取り付けられた回転自在なピンによって保持され、一方、道糸４を固定するためのアイレットＯ２は、当該ブロック２０５に接続されたピンによって保持される。
【００２８】
図６および図７は、図５の解決手段の変形例を示す。ここで、浮き本体２は、末端糸６に接続される釣り針Ｈおよび餌Ｅを受け入れるコンパートメントＮを画定する。釣り針Ｈおよび餌Ｅは、任意の保持要素によって、例えば（例として合成材料の）テープまたは糸８によって、飛行中シートＮ内に保持される。この解決手段は、飛行中に釣り糸４および６がもつれるリスクをさらに低減する。水と衝突した際、釣り針Ｈおよび餌Ｅは、コンパートメントＮから外に出てくる。
【００２９】
最後に、図８はさらなる変形例を示す。ここで、浮き本体２は、中空のかごの形をしており、後側主部と、浮き本体の前側部分を画定する開閉式の前側カバー２０６とを備える。しかしながらこの場合、かご本体は、道糸４用の通路を画定する中央部２０７を含む。
【００３０】
上述の全ての変形例では、バラスト錘３の本体および永久磁石Ｍの両方において形成される切れ目Ｔによって、水と衝突した際、バラスト錘３が道糸４の邪魔をすることなく浮き本体２から離れることが可能になる。さらに、強磁性材料の円錐形の要素Ｆは、道糸の通路となる中央孔を有する。
【００３１】
上述の特徴のおかげで、本発明に係るリグユニットは、釣り糸がもつれる恐れが全くなく、大遠投の実行を容易にすることができる。
【００３２】
図９および図１０は、本発明の好適な実施形態の変形例を示す。これらの図において、これまでの図と共通する部分は、同じ参照番号で示される。図１の解決手段と比較すると、主な違いは次のような点である。２つの小型の永久磁石Ｍが設けられ、それらはバラスト錘３の前端において、くぼんだ円錐状表面上のシート"ｍ"において受け入れられる点。ロッド７の最後尾部６０１が回転体として成形され、切れ目または案内通路Ｔ'がバラスト錘３の切れ目Ｔと角度方向で一致しており、道糸４が切れ目Ｔおよび切れ目Ｔ'を通って案内されることによって、飛行中、道糸４がロッド７に巻き付くことがないようにされている点。浮き本体２において、浮き本体２の前端から突出する端部を有するチューブ５０が横断しており、この突出部分において、シャンクのアイレットが回転自在であり、当該シャンクの反対側の端部はアイレットＯ３を保持しており、この構成要素は、２つの本体５１と５２との間のチューブ５０において軸方向に保持される点。図１０から分かるように、結び目を作った糸５３が、バラスト錘の後端から突出するループを形成して、道糸４を接続するためのアイレットＯ２の役目を果たす点。
【００３３】
当然ながら、本発明の原理を損なうことなく、構造の詳細および実施形態は、本発明の範囲から逸脱することなく、単に例として説明および示されたものから大きく変化してよい。
【００３４】
例えば、磁気結合手段の代わりに、浮き本体２およびバラスト錘３は、レシプロカルな係合要素間の機械的連結によって、水と衝突することによって確実に分離されるほどの十分小さい連結力で、飛行中連結されたままであることもできる。
【図１】
2019517825.tif 000003
【図２】
2019517825.tif 000004
【図２Ａ】
2019517825.tif 000005
【図３】
2019517825.tif 000006
【図４】
2019517825.tif 000007
【図５】
2019517825.tif 000008
【図６】
2019517825.tif 000009
【図７】
2019517825.tif 000010
【図８】
2019517825.tif 000011
【図９】
2019517825.tif 000012
【図１０】
2019517825.tif 000013
【国際調査報告】
2019517825.tif 000014
2019517825.tif 000015
2019517825.tif 000016